(57)【特許請求の範囲】
【請求項１】
植物の根が貫通可能な連続空隙を有するポーラスコンクリートからなる版状のブロック本体の上面に、普通コンクリート層を一体に備え、該普通コンクリート層を貫通して前記ブロック本体の上面に方形状をした複数の凹陥部と、互いに嵌り合う形状の段部と、隣り合うブロックに接する凹陥部に連結ボルト挿入用の貫通孔とを備えてなる緑化護岸用コンクリートブロック。
【請求項２】
植物の根が貫通可能な連続空隙を有するポーラスコンクリートからなる版状のブロック本体の上面に、普通コンクリート層を一体に備え、該普通コンクリート層を貫通して前記ブロック本体の上面に方形状をした複数の凹陥部と、互いに嵌り合う形状の段部と、隣り合うブロックに接する凹陥部に連結ボルト挿入用の貫通孔とを備えてなる緑化護岸用コンクリートブロックを、水位の上下によって冠水する堤防の低水護岸域の法面に並べて敷設し、隣り合う前記ブロックの貫通孔にまたがらせて連結ボルトを挿入して各ブロック間を固定し、該ブロックの凹陥部内に客土を収容して草類を植生するとともに、該凹陥部内の各客土上に砕石等の石材を詰めてなる緑化低水護岸。
【請求項３】
凹陥部内の客土及び又は連続空隙内に充填した客土内に、草類の種子を含ませて成育させることにより植生してなる請求項２に記載の緑化低水護岸。
【発明の詳細な説明】
【０００１】
【発明の属する技術分野】
本発明は、主として、河川、湖沼等の岸辺等の低水護岸域の緑化及び護岸に用いる緑化護岸用コンクリートブロック及び該ブロックを使用した低水緑化護岸に関する。
【０００２】
【従来の技術】
従来、河川の堤防の護岸には、法面をコンクリートブロックや場所打ちコンクリート等のコンクリート構造物によって覆う構造のものや、法面に草類を植生し、根の土壌緊縛力によって表面を強化するとともに、緑化する構造のものが採用されいるが、低水護岸、即ち、流水に洗われる部分の護岸には、表面の全面をコンクリート構造物にて覆う構造が採用され、高水護岸、即ち、異常時の増水によってしか水流に洗われることのない部分の護岸には、地山表面もしくは法枠等のコンクリート構造物の上面に盛り上げた客土に植生を施す方法が採用されている。
【０００３】
【発明が解決しようとする課題】
上述の如き、従来の低水護岸は、台風等の増水時に、流水に洗われる部分は、護岸裏面の土砂の吸い出しを防止するとともに、流木や流石の衝突による破損を防止する必要から、法面全面がコンクリートによって覆われ、その表面が露出しているため、無機質で殺風景な景観となり、しかも水辺の動植物の生態系を損うものであった。
【０００４】
本発明は、このような従来の問題に鑑み、主として低水護岸において、護岸機能が高く、かつ、増水時にも流失されずに緑化が維持される緑化護岸用コンクリートブロック及び該ブロックを使用した緑化低水護岸の提供を目的としたものである。
【０００５】
【課題を解決するための手段】
上述の如き従来の問題を解決し、所期の目的を達成するための本発明の特徴は、植物の根が貫通可能な連続空隙を有するポーラスコンクリートからなる版状のブロック本体の上面に、普通コンクリート層を一体に備え、該普通コンクリート層を貫通して前記ブロック本体の上面に方形状をした複数の凹陥部と、互いに嵌り合う形状の段部と、隣り合うブロックに接する凹陥部に連結ボルト挿入用の貫通孔とを備えてなる緑化護岸用コンクリートブロック、及び該ブロックを水位の上下によって冠水する堤防の低水護岸域の法面に並べて敷設し、隣り合う前記ブロックの貫通孔にまたがらせて連結ボルトを挿入して各ブロック間を固定し、該ブロックの凹陥部内に客土を収容して草類を植生するとともに、該凹陥部内の各客土上に砕石等の石材を詰めてなる緑化低水護岸にある。
【０００６】
尚、凹陥部内の客土及び又は連続空隙内に充填した客土内に、草類の種子を含ませて成育させることにより植生することが好ましい。
【０００７】
また、本発明において、普通コンクリートとは、ポーラスコンクリート以外の通常の粗骨材、細骨材、セメント及び必要な添加剤に水を加えて混練することによって製造されるコンクリートをいう。
【０００８】
【作用】
本発明の緑化護岸用コンクリートブロックの使用に際しては、堤防等の護岸を施すための地山面にこれを並べて設置し、法面を多数のコンクリートブロックにて覆うとともに、凹陥部内に石材を収容することにより、コンクリートブロック及び石材の重量により地山の崩落及び流失が防がれる。
【０００９】
ブロックの設置に先立ち、ブロック本体の連続空隙内に客土や草類の種及び肥料を充填しておくか、該ブロックを敷設した後、ポット状凹陥部内に客土を詰め、草類の種や苗を植え付ける。
【００１０】
このようにして植え付けられた草類は、ポット状凹陥部内に根を張って客土を緊縛するとともに、ブロック本体の連続空隙内に伸長し、ブロック本体と一体化する。更に、根が伸びてブロック本体を貫通し、裏面の地山内に伸びて地山を緊縛することにより、ブロック本体が地山に強固に定着されるとともに、地山を根の緊縛力によって強化する。
【００１１】
また、ブロック本体の上面に普通コンクリート製の層を備えることにより、流水による表面の浸食防止機能が大きく、護岸をより強固なものとできるとともに、増水時の流木石によるブロックの損傷が防止される。
【００１２】
【発明の実施の形態】
次に本発明の実施の形態を図面に示す実施例について説明する。
【００１３】
図１〜図３は、本発明の第１実施例の緑化護岸用コンクリートブロックを示している。
【００１４】
図において１は、正方形の版状をしたブロック本体である。このブロック本体１は、草類の根が伸長可能な連続空隙を有するポーラスコンクリートにより成形されている。ポーラスコンクリートは、ペースト状のセメントモルタルを結合材とし、これを粗骨材である砕石にまぶした状態の混練物を型に入れ、必要な振動を加え、締め、各粗骨材間を結合材にて一体化させたものであり、各粗骨材間に連続した空隙が形成されている。また、粗骨材の大きさ及び結合材の量を選定することにより、空隙の大きさを草類の根がその内部を伸長できるものとしている。
【００１５】
ブロック本体の上面には、普通コンクリート層３が一体に設けられており、この普通コンクリート層３を貫通してポーラスコンクリートによるブロック本体１の上面に方形状をした複数の凹陥部２、２…が格子状配置に形成されている。この凹陥部の大きさ及び深さは用途に応じて適宜変更する。即ち、傾斜の大きい法面の場合には、石材や客土が多く収容でき、かつ、その流失を少なくするために、凹陥部２を深くする。
【００１６】
ブロック本体１の前後及び左右の面は、互いに隣り合わせに接合したブロック間において、互いに嵌り合う形状の段部が形成され、互いに隣り合う一方の２面には下側に張り出し部４、４が一体成形され、他方の２面には側に張り出し部５、５が一体成形されている。
【００１７】
また、ブロック本体１の各側面側の凹陥部２、２…と各側面間には、それぞれ連結ボルト挿通用の貫通孔６、６…が形成されている。
【００１８】
次に、このように構成される各緑化護岸コンクリートブロックを用いた緑化低水護岸について証明する。
【００１９】
図４は、本発明に係る緑化護岸用ブロックを河川の堤防の低水護岸に用いた例を示している。
【００２０】
図において１０は川道であり、１１は堤防の地山である。この堤防法面の水際部分に本発明に係るブロックＡをその法面の全面を覆う配置に多数並べて敷設する。そして、上下左右に隣り合うブロックＡ、Ａ…の各貫通孔６、６にまたがらせて連結ボルト７を挿入し、各ブロック間を固定する。
【００２１】
次いで、各ブロックＡ、Ａ…の凹陥部２、２…内の底部に客土８を充填し、その中に草類の種子を植え、更にその上に砕石等の石材９、９…を詰める。
【００２２】
種子の植え付けは、客土８内に予め種子を肥料とともに混入させておいてもよく、客土８の充填後に植え付けてもよい。
【００２３】
また、各ブロックＡの設置に先立ち、ブロック本体１の連続空隙内に客土及び種子を予め充填しておき、これを地山１１の表面上に設置してもよい。
【００２４】
このようにして、ブロックＡの敷設、種子の植え付けの後、種子が発芽し、成長することにより、根が凹陥部２内に張って客土８を緊縛するとともに、ブロック本体１の空隙内に侵入して、ブロック本体１と一体化する。更に、空隙を貫通してブロック本体１の下面にまで根が伸長し、地山１１内に伸びて地山土砂を緊縛し、地山１１とブロック本体１とを一体化させる。
【００２５】
尚、常時水没している部分には、水生植物を植生し、また、台風時等のように年間を通して数回程度の増水時に冠水する部分には、陸生植物を植生する。
【００２６】
【発明の効果】
上述したように、本発明においては、植物の根が貫通可能な連続空隙を有するポーラスコンクリートからなる版状のブロック本体の上面に、普通コンクリート層を一体に備え、該普通コンクリート層を貫通して前記ブロック本体の上面に方形状をした複数の凹陥部と、互いに嵌り合う形状の段部と、隣り合うブロックに接する凹陥部に連結ボルト挿入用の貫通孔とを備えてなる緑化護岸用コンクリートブロックを、水位の上下によって冠水する堤防の低水護岸域の法面に並べて敷設し、隣り合う前記ブロックの貫通孔にまたがらせて連結ボルトを挿入して各ブロック間を固定して法面を覆うことにより、ブロック自体の重量によってその流失が防止されるとともに、そのブロック本体の凹陥部及び空隙内に草類を植生させることにより、その根がブロック本体下面の地山に達し、地山とブロック本体とを一体化させて、ブロックによる護岸機能が高められる。
【００２７】
植生された草類は、ブロックの曲りくねった空隙内に根が侵入することにより、ブロックと一体化し、容易に抜け出なくなり、台風等の増水時においても流失せずに、緑化及び護岸機能が維持される。
【００２８】
また、ブロック本体の上面には普通コンクリート層が設けられていることにより、水流による浸食や、流木石等による破損が防止され、凹陥部に石材を詰めることにより、護岸機能がより高いものとなり、かつ、水没している部分には、石材間が小動物の生息空間となり、水生植物の植生と合わせて自然環境がよくなり、水質浄化も促進されることとなる。
【図面の簡単な説明】
【図１】本発明に係るブロックの一例の平面図である。
【図２】図１中のＡ−Ａ線断面図である。
【図３】図１中のＢ−Ｂ線断面図である。
【図４】本発明の緑化低水護岸方法の一例の断面図である。
【符号の説明】
Ａ  緑化用コンクリートブロック
１  ブロック本体
２  凹陥部
３  普通コンクリート層
４、５  張り出し部
６  貫通孔
７  連結ボルト
８  客土
９  石材
１０  川道
１１  地山
【図１】
0003731193.tif 000002
【図２】
0003731193.tif 000003
【図３】
0003731193.tif 000004
【図４】
0003731193.tif 000005